(57)【要約】【課題】効率的に脇の下の汗を吸収することができるとともに、着け心地が良好で、長時間に亘って使用した場合でも蒸れたりしない上、位置ずれを起こさず、肌へ負担を掛けない実用的な脇汗取り用パットを提供する。【解決手段】脇汗取り用パット１０は、シート状基材層２０の上にメッシュ層３０を重ね合わせて周縁部材４０を縫い合わることによって、二層構造に形成されている。そして、シート状基材層２０の背面の左右両端縁際には、衣服に取り付けるための雄型の面ファスナーからなる２つの装着手段５０，５０が縫い付けられている。【選択図】図１
2014227620.tif 000002
【特許請求の範囲】
【請求項１】
衣服の内側の脇に当たる部分に取り付けて使用される脇汗取り用パットであって、
シート状基材層の上にメッシュ層を重ねた二層構造となっており、
片面の対向する端縁際に、衣服に取り付けるための装着手段が設けられていることを特徴とする脇汗取り用パット。
【請求項２】
楕円形に形成されており、長手方向に沿った中心線で二つ折りして、その稜線から所定の距離だけ内側の平行線を縫い付けることによって、前記中心線に沿って補強部が形成されていることを特徴とする請求項１に記載の脇汗取り用パット。
【請求項３】
装着手段が面ファスナーであることを特徴とする請求項１、または請求項２に記載の脇汗取り用パット。
【発明の詳細な説明】
【技術分野】
【０００１】
本発明は、ワイシャツ等の衣服を着用するときに、衣服の脇に当たる部分に取り付けるための脇汗取り用パットに関するものであり、詳しくは、装着・脱着が容易で優れた吸水速乾性と抗菌防臭性とを具備した脇汗取り用パットに関するものである。
【背景技術】
【０００２】
脇に多量の汗を掻いてしまうと、ワイシャツ等の衣服の脇の下に汗が滲み出るようになり、不快感を覚える。そのような不快感を払拭するためのものとして、特許文献１の如く、脇の下に直接貼りつける汗取りシートが知られている。また、女性用のものとして、ブラジャーの紐に引っかけて脇の下に固定させる汗取り用パットが知られている。それらの汗取りシートや汗取り用パットは、肌に密着した状態で、掻いた汗をダイレクトに吸収することによって汗が衣服に染み込む事態を未然に防止しようとするものである。
【先行技術文献】
【特許文献】
【０００３】
【特許文献１】特開２００４−５２１２１
【発明の概要】
【発明が解決しようとする課題】
【０００４】
しかしながら、それらの汗取りシートや汗取り用パットは、肌に直接貼り付けるタイプのものであるため、大量に発汗した場合には、蒸れてしまい、場合によっては肌荒れを誘発してしまうことがある。さらに、それらの汗取りシートや汗取り用パットは、単一素材で構成されているものが多く、必ずしも着け心地が良好であるとは言えなかった。加えて、女性用の汗取り用パットは、ブラジャーの紐との取付状態が不安定であるため、使用中に位置ずれを起こしてしまう、という不具合もあった。
【０００５】
本発明の目的は、上記従来の汗取り用パットの課題を解消し、効率的に脇の下の汗を吸収することができるとともに、着け心地が良好で、長時間に亘って使用した場合でも蒸れたりしない上、位置ずれを起こさず、肌へ負担を掛けない実用的な脇汗取り用パットを提供することにある。
【課題を解決するための手段】
【０００６】
請求項１に記載された発明は、衣服の内側の脇に当たる部分に取り付けて使用される脇汗取り用パットであって、シート状基材層の上にメッシュ層を重ねた二層構造となっており、片面の対向する端縁際に、衣服に取り付けるための装着手段が設けられていることを特徴とするものである。
【０００７】
請求項２に記載された発明は、請求項１に記載された発明において、楕円形に形成されており、長手方向に沿った中心線で二つ折りして、その稜線から所定の距離だけ内側の平行線を縫い付けることによって、前記中心線に沿って補強部が形成されていることを特徴とするものである。
【０００８】
請求項３に記載された発明は、請求項１、または請求項２に記載された発明において、装着手段が面ファスナーであることを特徴とするものである。
【発明の効果】
【０００９】
請求項１に係る脇汗取り用パットは、ワイシャツ等に取り付けるタイプであるので、脇に密着した状態とはならず、脇と衣服との間に適度な空間を形成することができる。したがって、身体との密着により蒸れてしまうことはないし、肌荒れを誘発してしまうこともない。また、日常の動きの中で位置ズレを生じることもない。さらに、着け心地が悪いことによる違和感もなく、着用によるストレスを感じることもない。加えて、吸収速乾・抗菌防臭の生地を使用することにより、脇汗を素早く吸収し、素早く拡散し放出することで汗の嫌な臭いを抑え、衣服の汗染みを防ぐことが可能となる。また、空気触媒加工を施した生地を使用することにより、消臭・抗菌のみならず汚れを分解したり、帯電を防止したり空気中の有害物質を分解したりすることも可能となる。
【００１０】
請求項２に係る脇汗取り用パットは、衣服を着用した際に脇に挟まれて降り曲がることによって生ずる折り曲げ線と垂直な方向に、略中心線に沿ってシート状基材およびメッシュ層を縫い合わせることによって補強部が形成されているので、単純な綿布等のように捩れることがなく、脇の下の発汗し易い部分との接触面積を広く維持することができる。
【００１１】
請求項３に係る脇汗取り用パットは、装着手段をワイシャツ等の衣服の内側に設けられた面ファスナーと押圧するだけで、きわめて容易に、衣服への装着、衣服からの脱着を行うことができる。
【図面の簡単な説明】
【００１２】
【図１】脇汗取り用パットをメッシュ層側からみた正面図である。
【図２】脇汗取り用パットをシート基材層側からみた背面図である。
【図３】脇汗取り用パットの使用状態を示す説明図である。
【発明を実施するための形態】
【００１３】
＜脇汗取り用パットの構造＞
以下、本発明の脇汗取り用パットについて、図１〜図３を参照しつつ、詳細に説明する。図１は、本発明に係る脇汗取り用パット１０の正面図である。脇汗取り用パット１０は、脇周辺の発汗部分の形状に合致し易いように楕円形に形成されており、楕円の短径を軸として折り曲がるような向きに設置して使用することで、脇下にフィットし易くなっている。周縁部材４０は、細長い綿布等でシート基材層２０とメッシュ層３０の端部を外側から包み込みつつ挟んでおり、端部の内周側に縫い目（ステッチ）ができるように縫い合わせてある。
【００１４】
シート基材層２０は、合成繊維（ポリエステル）からなる織布に、天然成分（セラグラン）を原料とした加工剤を用いた所謂空気触媒加工を施したものである。そのため、表面の空気触媒物質が空気中の酸素や水分と反応して、高い消臭効果を長時間に亘って持続することができるようになっている。一方、メッシュ層３０は、捲縮数が所定の数値範囲内（４０〜１００個／２５ｍｍ）となるような捲縮加工を施した高機能の合成繊維（ポリプロピレン）によって、ネット状（直径約３〜５ｍｍの略円形の隙間を規則的に並べた網目状）に形成されている。そのため、優れた吸水速乾性を発現させて吸収した汗を素早く蒸散させて、内部に汗をため込まない上、接触冷感を付与することができるようになっている。
【００１５】
また、図２は、脇汗取り用パット１０の背面図であり、脇汗取り用パット１０は、幅方向（楕円の短径方向）の中央に、楕円の長径方向に沿って、一定幅（約３ｍｍ）の補強部６０が設けられている。当該補強部６０は、脇汗取り用パット１０を、幅方向の中心線に沿って、メッシュ層３０を内側とするように二つ折りして、その折り曲げた稜線から一定幅だけ内側に入り込んだ平行線に沿って、シート状基材２０とメッシュ層３０とを一緒に縫い付けることによって形成されている。
【００１６】
さらに、シート基材層２０の背面の左右両端縁際には、幅方向の中心線に対して対称となる位置に、それぞれ、衣服に装着するための装着手段５０，５０が設けられている。それらの装着手段５０，５０は、面ファスナー（雄型）によって形成されており、多数の鉤状のフックが突設された状態になっている。当該装着手段５０，５０は、ワイシャツ等の衣服の内側の脇の下に当たる部分（袖と身ごろとの接合部分）に縫い付けた面ファスナー（雌型）との貼り合わせ、剥離を繰り返すことができるようになっている。
【００１７】
＜脇汗取り用パットの使用方法＞
図３は、脇汗取り用パット１０の使用状態を示したものであり、脇汗取り用パット１０は、左右の装着手段５０，５０を、ワイシャツ等の衣服の内側の脇の下に当たる部分に縫い付けた雌型の面ファスナーと貼り合わせることによって、衣服に装着して使用する。
【００１８】
＜脇汗取り用パットの効果＞
上記の如くワイシャツ等に装着された脇汗取り用パット１０は、シート状基材層２０の上にメッシュ層３０を重ねた二層構造となっているので、効率的に脇の下の汗を吸い取ることができるとともに、その汗による水分を短時間の内に蒸発させることができる。また、片面の対向する端縁際に、衣服に取り付けるための装着手段５０，５０が設けられているので、当該装着手段５０，５０を利用して、ワイシャツ等の衣服の内側の脇の下に当たる部分に容易に装着することができる上、位置ずれを起こしにくい。さらに、脇に密着した状態にはならず、脇と衣服との間に適度な空間を形成するため、蒸れてしまったり、肌荒れを誘発してしまったりせず、良好な着け心地を提供することができる。
【００１９】
また、脇汗取り用パット１０は、楕円形に形成されており、長手方向に沿った中心線で二つ折りして、その稜線から所定の距離だけ内側の平行線を縫い付けることによって、中心線に沿って補強部６０が形成されている（すなわち、取り付けられた衣服を着用した際に脇に挟まれて折れ曲がることによって生ずる折り曲げ線と直交する方向に直線状の補強部６０が設けられている）。したがって、平板状に戻ろうとする復元力が高いため、脇に挟まれて折れ曲がった後に衣服に貼り付いた状態になりにくい上、単純な綿布等のように捩れることがなく、脇の下の発汗し易い部分との接触面積を広く維持することができる。
【００２０】
さらに、脇汗取り用パット１０は、装着手段５０，５０が面ファスナーであるため、当該装着手段５０，５０をワイシャツ等の衣服の内側に設けられた面ファスナーと押圧するだけで、きわめて容易に、衣服への装着、衣服からの脱着を行うことができる。
【００２１】
また、脇汗取り用パット１０は、シート状基材層２０が天然成分を原料とした加工剤を使用したいわゆる空気触媒加工を施したものであるので、空気中の酸素や水分と反応して消臭効果を持続することができる。すなわち、帯電を防止して有害物質を寄せつけない上、汚れを分解したり空気中の有害物質を分解したりすることにより、長期間に亘って消臭・抗菌機能を発現させることができる。
【００２２】
加えて、脇汗取り用パット１０は、メッシュ層３０が特殊な捲縮加工を施した高機能繊維によってネット状に形成されているため、優れた吸水速乾性を発現させて吸収した汗を素早く蒸散させ、内部に汗をため込まない上、接触冷感を付与することができる。そのため、使用者に、いつもサラッとしたドライな感触を付与することができる。
【００２３】
また、脇汗取り用パット１０は、雄型の面ファスナーを衣類の内側に設けられた雌型の面ファスナーと貼り合わせるタイプのものであるので、取り外した衣類を洗濯する際に、衣類に設けられた面ファスナーに毛玉等が付着しにくい、というメリットがある。
【００２４】
＜脇汗取り用パットの変更例＞
本発明に係る脇汗取り用パットの構成は、上記実施形態の態様に何ら限定されるものではなく、脇汗取り用パット、シート状基材層、メッシュ層、装着手段等の構成を、本発明の趣旨を逸脱しない範囲で、必要に応じて適宜変更することができる。
【００２５】
たとえば、装着手段は、上記実施形態の如き雄型の面ファスナーに限定されず、雌型の面ファスナー（衣服の脇の内側に縫い付けられた雄型の面ファスナーと貼り合わせることが可能なもの）に変更することも可能であるし、両面テープや粘着シート等に変更することも可能である。また、装着手段を、衣服の脇の内側に縫い付ける面ファスナーとともに、雄雌混在型の面ファスナー（フックとループの両方が混在して植え込まれており雄型と雌型との区別のないタイプの面ファスナー）とすることも可能である。
【００２６】
また、脇汗取り用パットは、上記実施形態の如く、シート状基材層に装着手段を設けたものに限定されず、メッシュ層に装着手段を設けたものに変更することも可能である。加えて、脇汗取り用パットの色は、特に限定されないが、全体を白色のものとすることによって、衣服を透けて見える事態を効果的に防止することができる。
【産業上の利用可能性】
【００２７】
本発明に係る脇汗取り用パットは、上記の如く優れた効果を奏するものであるので、脇の下の汗を吸収して不快感を解消するための部材として、好適に用いることができる。
【符号の説明】
【００２８】
１０・・脇汗取り用パット
２０・・シート状基材層
３０・・メッシュ層
４０・・周縁部材
５０・・装着手段
６０・・補強部
【図１】
2014227620.tif 000003
【図２】
2014227620.tif 000004
【図３】
2014227620.tif 000005